(57)【要約】【課題】デジタルインタフェースを備えない多出力の電源装置に対してデジタル制御を行う技術を、回路規模を抑えながら提供すること。【解決手段】制御対象の電源装置１０との間で、電源装置１０が有する１つ以上の出力部１１のそれぞれに関連するアナログ信号を入出力する電源インタフェース部２１と、給電制御装置３０から、電源装置１０を出力部１１単位で制御する制御情報を受信すると、受信した制御情報に基づいて、電源インタフェース部２１を介して電源装置１０を出力部１１単位で制御する制御部２２と、を備える。【選択図】      図１
2015225488.tif 000002
【特許請求の範囲】
【請求項１】
制御対象の電源装置との間で、前記電源装置において電源を供給する１つ以上の出力部のそれぞれに関連するアナログ信号を入出力する電源インタフェース部と、
給電制御装置から、前記電源装置を前記出力部単位で制御する制御情報を受信すると、前記制御情報に基づいて、前記電源インタフェース部を介して前記電源装置を前記出力部単位で制御する制御部と、
を備えた電源制御装置。
【請求項２】
前記制御部は、前記給電制御装置から、前記電源装置における対象の出力部を指定のタイミングで起動または停止させる制御情報を受信すると、前記対象の出力部を起動または停止させるアナログ制御信号を、前記制御情報に基づくタイミングで前記電源インタフェース部から出力することを特徴とする請求項１に記載の電源制御装置。
【請求項３】
前記制御部は、前記給電制御装置から、前記電源装置における対象の出力部に設定する出力設定値を示す制御情報を受信すると、前記対象の出力部の出力値を前記出力設定値に調整するアナログ制御信号を、前記電源インタフェース部から出力することを特徴とする請求項１または請求項２に記載の電源制御装置。
【請求項４】
前記電源インタフェース部には、前記電源装置の前記出力部からの出力信号が入力され、
前記制御部は、前記電源インタフェース部に入力される前記出力信号の示す出力値と、該出力部に設定された前記出力設定値との差分に基づいて、該出力部の出力値を調整するアナログ制御信号を、前記電源インタフェース部から出力することを特徴とする請求項３に記載の電源制御装置。
【請求項５】
前記制御部は、前記出力設定値と、前記電源装置における前記出力部の出力値を該出力設定値に調整するためのアナログ制御信号に関する情報との対応関係を表す対応関係情報に基づいて、前記出力部の出力値を前記出力設定値に調整するアナログ制御信号を、前記電源インタフェース部から出力することを特徴とする請求項３または請求項４に記載の電源制御装置。
【請求項６】
請求項１から請求項５のいずれか１項に記載の電源制御装置に対して、前記電源装置を前記出力部単位で制御する制御情報を送信する給電制御装置。
【請求項７】
１つ以上の前記電源装置がそれぞれ有する１つ以上の前記出力部について出力部単位で定められた起動シーケンスまたは停止シーケンスにしたがって、前記各出力部を指定のタイミングで起動または停止する制御情報を、前記各電源装置をそれぞれ制御する前記電源制御装置に送信することを特徴とする請求項６に記載の給電制御装置。
【請求項８】
電源を供給する１つ以上の出力部、および、前記出力部のそれぞれに対するアナログ制御信号が入力されるアナログインタフェース部を有する１つ以上の電源装置と、
前記各電源装置に対応して設けられる請求項１から請求項５のいずれか１項に記載の電源制御装置と、
請求項６または請求項７に記載の給電制御装置と、
を備えた給電制御システム。
【請求項９】
給電制御装置は、電源装置が有する１つ以上の出力部を出力部単位で制御する制御情報を、該電源装置を制御対象とする電源制御装置に送信し、
前記電源制御装置は、受信した前記制御情報に基づいて、対象の前記出力部に関連するアナログ信号を前記電源装置との間で入出力することにより、前記電源装置を前記出力部単位で制御する、給電制御方法。
【請求項１０】
電源装置が有する１つ以上の出力部を出力部単位で制御する制御情報を、前記電源装置を制御対象とする電源制御装置に対して送信する制御情報送信ステップを、コンピュータ装置に実行させるコンピュータ・プログラム。
【発明の詳細な説明】
【技術分野】
【０００１】
本発明は、機器を構成する電子部品への電源供給を制御する給電制御技術に関する。
【背景技術】
【０００２】
一般に、通信機器、コンピュータ、産業用機器等には、機器を構成する電子部品に電源を供給する電源装置が搭載されている。このような電源装置に対して、電源投入・停止のタイミング制御や、出力値の調整・監視等を行う技術が知られている。
【０００３】
例えば、特許文献１には、デジタルインタフェースを備えない複数の電源装置に対して、それぞれデジタル制御を行う電源制御装置が記載されている。各電源制御装置は、給電制御装置からの命令に従って、各電源装置の電源投入・停止のタイミング制御や出力値の調整・監視を行う。
【０００４】
また、近年、上述のような機器においては、電源を必要とする電子部品の構成の複雑化に伴い、複数の電源チャンネルを備えて多出力化した電源装置が用いられるようになった。これに伴い、多出力の電源装置に対する給電制御を行う技術が知られるようになった。
【０００５】
例えば、特許文献２には、複数の電源チャンネルを有する電源装置において、電源チャンネルに対する給電制御を行う技術が記載されている。この関連技術は、電源供給先の機能に応じて電源チャンネルをグループ化し、電源チャンネルのグループ毎に、電源の供給または供給終了のタイミングを制御する。
【先行技術文献】
【特許文献】
【０００６】
【特許文献１】特開２０１２−２３５６７８号公報
【特許文献２】特開２００９−２９６８５２号公報
【発明の概要】
【発明が解決しようとする課題】
【０００７】
ここで、特許文献２に記載された関連技術では、電源装置が、デジタル制御を行う制御部を内蔵している。しかしながら、特許文献２に記載されたような多出力の電源装置であっても、デジタル制御を行う制御部を備えず、外部からのデジタル制御を可能とするデジタルインタフェースも備えないものがある。特許文献２に記載された関連技術は、そのようなデジタルインタフェースを備えない多出力の電源装置に対して適用することができない。
【０００８】
また、このようなデジタルインタフェースを備えない多出力の電源装置に対して、デジタル制御を行うために特許文献１に記載された技術を適用する場合、以下の課題がある。この場合、各電源装置の出力の数だけ電源制御装置を備える必要が生じ、給電制御システムを構成する回路を小型化することが難しい。
【０００９】
本発明は、上述の課題を解決するためになされたもので、デジタルインタフェースを備えない多出力の電源装置に対してデジタル制御を行う技術を、回路規模を抑えながら提供することを目的とする。
【課題を解決するための手段】
【００１０】
本発明の電源制御装置は、制御対象の電源装置との間で、前記電源装置において電源を供給する１つ以上の出力部のそれぞれに関連するアナログ信号を入出力する電源インタフェース部と、給電制御装置から、前記電源装置を前記出力部単位で制御する制御情報を受信すると、前記制御情報に基づいて、前記電源インタフェース部を介して前記電源装置を前記出力部単位で制御する制御部と、を備える。
【００１１】
また、本発明の給電制御装置は、上述の電源制御装置に対して、前記電源装置を前記出力部単位で制御する制御情報を送信する。
【００１２】
また、本発明の給電制御システムは、電源を供給する１つ以上の出力部、および、前記出力部のそれぞれに対するアナログ制御信号が入力されるアナログインタフェース部を有する１つ以上の電源装置と、前記各電源装置に対応して設けられる上述の電源制御装置と、上述の給電制御装置と、を備える。
【００１３】
また、本発明の給電制御方法は、給電制御装置は、電源装置が有する１つ以上の出力部を出力部単位で制御する制御情報を、該電源装置を制御対象とする電源制御装置に送信し、前記電源制御装置は、受信した前記制御情報に基づいて、対象の前記出力部に関連するアナログ信号を前記電源装置との間で入出力することにより、前記電源装置を前記出力部単位で制御する。
【００１４】
また、本発明のコンピュータ・プログラムは、電源装置が有する１つ以上の出力部を出力部単位で制御する制御情報を、前記電源装置を制御対象とする電源制御装置に対して送信する制御情報送信ステップを、コンピュータ装置に実行させる。
【発明の効果】
【００１５】
本発明は、デジタルインタフェースを備えない多出力の電源装置に対してデジタル制御を行う技術を、回路規模を抑えながら提供することができる。
【図面の簡単な説明】
【００１６】
【図１】本発明の実施の形態としての給電制御システムの構成を示すブロック図である。
【図２】本発明の実施の形態としての給電制御システムのハードウェア構成図である。
【図３】本発明の実施の形態としての給電制御システムが、起動シーケンスが不要な場合に、各出力部の起動を制御する動作を説明するフローチャートである。
【図４】本発明の実施の形態としての給電制御システムが、起動シーケンスが必要な場合に、各出力部の起動を制御する動作を説明するフローチャートである。
【図５】本発明の実施の形態において定められた起動シーケンスの一例を説明する図である。
【図６】本発明の実施の形態としての給電制御システムが、各出力部の出力値を設定する動作を説明するフローチャートである。
【図７】本発明の実施の形態としての給電制御システムが、各出力部の出力値を調整する動作を説明するフローチャートである。
【図８】本発明の実施の形態としての給電制御システムが、各出力部の監視情報を送受信する動作を説明するフローチャートである。
【図９】本発明の実施の形態としての給電制御システムが、停止シーケンスが不要な場合に、各出力部の停止を制御する動作を説明するフローチャートである。
【図１０】本発明の実施の形態としての給電制御システムが、停止シーケンスが必要な場合に、各出力部の停止を制御する動作を説明するフローチャートである。
【図１１】本発明の実施の形態において定められた停止シーケンスの一例を説明する図である。
【図１２】本発明の実施の形態としての給電制御システムの他の態様の構成を示すブロック図である。
【発明を実施するための形態】
【００１７】
以下、本発明の各実施の形態について、図面を参照して詳細に説明する。
【００１８】
本発明の実施の形態としての給電制御システム１の構成を図１に示す。図１において、給電制御システム１は、ｎ個の電源装置１０＿ｉ（ｉ＝１〜ｎ，ｎは１以上の整数）と、ｎ個の電源制御装置２０＿ｉと、給電制御装置３０とを備える。なお、電源装置１０＿ｉを、以下、総称して電源装置１０とも記載する。また、電源制御装置２０＿ｉを、以下、総称して電源制御装置２０とも記載する。
【００１９】
まず、電源装置１０の構成について説明する。
【００２０】
図１において、各電源装置１０は、電源電圧Ｖｏｕｔ＿ｉｊをそれぞれ出力するＮｉ個の出力部１１＿ｉｊ（ｊ＝１〜Ｎｉ，Ｎｉは１以上の整数）と、アナログインタフェース部１２＿ｉとを有する。なお、出力部１１＿ｉｊを、以下、総称して出力部１１とも記載する。また、アナログインタフェース部１２＿ｉを、以下、総称してアナログインタフェース部１２とも記載する。ここで、各電源装置１０の出力数Ｎｉは、他の電源装置１０と異なる数であってもよいし、他の少なくともいずれかと同一の数であってもよい。なお、図１では、電源装置１０＿１が有する機能ブロックとして出力部１１＿１ｊおよびアナログインタフェース部１２＿１を示し、電源装置１０＿２〜１０＿Ｎが有するこれらの各機能ブロックの図示を省略している。
【００２１】
各電源装置１０は、図１に示すように、電圧Ｖｉｎが入力されると、アナログインタフェース部１２に入力されるアナログ制御信号にしたがって、各出力部１１から電源電圧を出力するよう構成されている。
【００２２】
また、アナログインタフェース部１２には、各出力部１１に関連するアナログ制御信号が入力される。例えば、図２に示すように、アナログインタフェース部１２は、Ｎｉ個のｏｎ／ｏｆｆ＿ｉｊ入力端子と、Ｎｉ個のｔｒｉｍ＿ｉｊ入力端子とによって構成されていてもよい。また、図２に示すように、出力部１１＿ｉｊは、Ｎｉ個のＶｏｕｔ＿ｉｊ端子によって構成されていてもよい。ここで、ｏｎ／ｏｆｆ＿ｉｊ入力端子は、Ｖｏｕｔ＿ｉｊ端子からの電源の供給開始または停止を制御するアナログ制御信号が入力される端子である。また、ｔｒｉｍ＿ｉｊ入力端子は、Ｖｏｕｔ＿ｉｊ端子からの出力値を調整するためのアナログ制御信号が入力される端子である。本実施の形態では、出力値とは、Ｖｏｕｔ＿ｉｊ端子から出力される電圧値（出力電圧値）を指すものとする。なお、図２に示した電源装置１０が有する端子の構成は一例であり、これに限定されない。
【００２３】
次に、電源制御装置２０の構成について説明する。
【００２４】
図１において、各電源制御装置２０は、電源インタフェース部２１＿ｉと、制御部２２＿ｉとを有する。なお、電源インタフェース部２１＿ｉを、以下、総称して電源インタフェース部２１とも記載する。また、制御部２２＿ｉを、以下、総称して制御部２２とも記載する。ここで、各電源制御装置２０は、例えば、図２に示すように、Ｎｉ個のｏｎ／ｏｆｆ＿ｉｊ出力端子と、Ｎｉ個のｔｒｉｍ＿ｉｊ出力端子と、Ｎｉ個のＶｍｏｎ＿ｉｊ入力端子と、Ｄ／Ａ（digital to analog）変換器２０１、２０２と、Ａ／Ｄ（analog to digital）変換器２０３と、メモリ２０４と、プロセッサ２０５と、バスインタフェース２０６とによって構成可能である。この場合、電源インタフェース部２１は、Ｎｉ個のｏｎ／ｏｆｆ＿ｉｊ出力端子と、Ｎｉ個のｔｒｉｍ＿ｉｊ出力端子と、Ｎｉ個のＶｍｏｎ＿ｉｊ入力端子とによって構成される。また、制御部２２は、メモリ２０４に記憶されたコンピュータ・プログラムおよび各種データを読み込んで実行するプロセッサ２０５と、Ｄ／Ａ変換器２０１、２０２と、Ａ／Ｄ変換器２０３と、バスインタフェース２０６とによって構成される。なお、電源制御装置２０およびその各機能ブロックのハードウェア構成は、上述の構成に限定されない。
【００２５】
電源インタフェース部２１は、制御対象の電源装置１０のアナログインタフェース部１２との間で、その電源装置１０の各出力部１１のそれぞれに関連するアナログ信号を入出力する。なお、電源制御装置２０＿ｉは、同一の添え字ｉによって識別される電源装置１０＿ｉを制御対象とするものとする。
【００２６】
ここで、電源インタフェース部２１が上述の各端子によって構成される場合の各端子について説明する。ｏｎ／ｏｆｆ＿ｉｊ出力端子は、Ｖｏｕｔ＿ｉｊ端子からの電源供給開始または停止を制御するアナログ制御信号が出力される端子である。また、ｔｒｉｍ＿ｉｊ出力端子は、Ｖｏｕｔ＿ｉｊ端子からの出力電圧値を調整するためのアナログ制御信号が出力される端子である。また、Ｖｍｏｎ＿ｉｊ入力端子は、Ｖｏｕｔ＿ｉｊ端子からの出力信号が入力される端子である。
【００２７】
この場合、電源インタフェース部２１におけるＮｉ個のｏｎ／ｏｆｆ＿ｉｊ出力端子は、それぞれ、制御対象の電源装置１０のアナログインタフェース部１２におけるＮｉ個のｏｎ／ｏｆｆ＿ｉｊ入力端子に接続される。また、電源インタフェース部２１におけるＮｉ個のｔｒｉｍ＿ｉｊ出力端子は、それぞれ、制御対象の電源装置１０のアナログインタフェース部１２におけるＮｉ個のｔｒｉｍ＿ｉｊ入力端子に接続される。また、電源インタフェース部２１におけるＮｉ個のＶｍｏｎ＿ｉｊ入力端子は、それぞれ、制御対象の電源装置１０のＶｏｕｔ＿ｉｊ端子に接続される。
【００２８】
制御部２２は、給電制御装置３０から制御情報を受信する。ここで、制御情報は、制御対象の電源装置１０を出力部１１単位で制御するためのデジタル情報である。そして、制御部２２は、受信した制御情報に基づいて、電源インタフェース部２１を介して、制御対象の電源装置１０を出力部１１単位で制御する。
【００２９】
例えば、制御部２２が上述のハードウェア要素によって構成される場合、制御部２２は、バスインタフェース２０６を介してバスに接続されることにより、同様にバスに接続される給電制御装置３０との間で情報を送受信する。また、制御部２２は、制御対象の電源装置１０の出力部１１に対する制御信号を生成し、生成した制御信号を、Ｄ／Ａ変換器２０１、２０２を用いてアナログ制御信号に変換する。そして、制御部２２は、変換したアナログ制御信号を、電源インタフェース部２１において制御対象の出力に対応する端子から出力する。また、制御部２２の諸機能は、給電制御装置３０から受信した情報、電源インタフェース部２１に入力される信号、および、メモリ２０４に記憶されるコンピュータ・プログラムや各種データにしたがってプロセッサ２０５が動作することにより実現される。
【００３０】
例えば、制御部２２は、給電制御装置３０から、制御対象の電源装置１０における対象の出力部１１を指定のタイミングで起動または停止させる制御情報（起動要求情報または停止要求情報）を受信した場合、次のように動作するよう構成される。この場合、制御部２２は、対象の出力部１１を起動または停止させるアナログ制御信号（ｏｎ／ｏｆｆ信号）を、受信した起動要求情報または停止要求情報に基づくタイミングで、電源インタフェース部２１から出力する。ここで、起動要求情報または停止要求情報には、対象となる出力部１１を識別する情報が含まれる。この場合、制御部２２は、対象の出力部１１を構成するＶｏｕｔ＿ｉｊ端子に対応するｏｎ／ｏｆｆ＿ｉｊ出力端子から、ｏｎ／ｏｆｆ信号を出力すればよい。
【００３１】
また、起動要求情報または停止要求情報には、さらに、タイミングを表す情報が含まれる場合がある。タイミングを表す情報とは、例えば、待機時間を表す情報であってもよい。この場合、具体的には、制御部２２は、起動要求情報または停止要求情報を受信後、待機時間だけ待機してから、対象となっている出力部１１を構成するＶｏｕｔ＿ｉｊ端子に対応するｏｎ／ｏｆｆ＿ｉｊ出力端子から、ｏｎ／ｏｆｆ信号を出力すればよい。なお、起動要求情報または停止要求情報にタイミングを表す情報が含まれない場合、制御部２２は、起動要求情報または停止要求情報を受信後任意のタイミングで、該当するｏｎ／ｏｆｆ＿ｉｊ出力端子からｏｎ／ｏｆｆ信号を出力すればよい。
【００３２】
また、制御部２２は、給電制御装置３０から、制御対象の電源装置１０における対象の出力部１１に設定する出力設定値を示す制御情報（出力値設定情報）を受信した場合、次のように動作するよう構成される。この場合、制御部２２は、出力値設定情報の示す出力部１１の出力電圧値を、メモリ２０４に記憶しておく。そして、制御部２２は、対象の出力部１１の出力電圧値を、出力値設定情報の示す出力設定値に調整するためのアナログ制御信号（ｔｒｉｍ信号）を、電源インタフェース部２１から出力する。具体的には、制御部２２は、そのようなｔｒｉｍ信号を、対象となっている出力部１１を構成するＶｏｕｔ＿ｉｊ端子に対応するｔｒｉｍ＿ｉｊ出力端子から出力すればよい。
【００３３】
また、このとき、制御部２２は、メモリ２０４等にあらかじめ記憶している対応関係情報に基づいて、ｔｒｉｍ信号の出力を行ってもよい。ここで、対応関係情報とは、出力設定値と、出力電圧値を該出力設定値に調整するためのｔｒｉｍ信号の値との対応関係を表す情報である。例えば、電源装置１０について、ｔｒｉｍ＿ｉｊ入力端子に接続する外付け抵抗の値と、Ｖｏｕｔ＿ｉｊ端子からの出力電圧値との対応関係が公開されているとする。この場合、制御部２２は、その値の外付け抵抗がｔｒｉｍ＿ｉｊ入力端子に接続された場合に該端子に入力されることになるｔｒｉｍ信号の値と、その値の外付け抵抗が該端子に接続された場合のＶｏｕｔ＿ｉｊ端子からの出力電圧値との対応関係を記憶しておけばよい。そして、制御部２２は、給電制御装置３０からの出力値設定情報の示す出力電圧値について、対応付けられたｔｒｉｍ信号の値を参照する。そして、制御部２２は、その値のｔｒｉｍ信号を、ｔｒｉｍ＿ｉｊ出力端子から出力すればよい。
【００３４】
また、上述のような対応関係情報は、電源装置１０によって異なることが多い。そこで、制御部２２は、制御対象の電源装置１０の変更に応じて、メモリ２０４に記憶される対応関係情報の更新を行ってもよい。例えば、制御部２２は、給電制御装置３０からの新たな対応関係情報を受信すると、対応関係情報を更新するようにしてもよい。これにより、電源制御装置２０は、制御対象の電源装置１０の変更にも容易に対応可能となる。
【００３５】
また、制御部２２は、電源装置１０における各出力部１１の出力電圧値を、電源インタフェース部２１の各Ｖｍｏｎ＿ｉｊ端子に入力される信号の示す出力電圧値と、前述の出力設定値との差分に基づき調整してもよい。具体的には、制御部２２は、Ｖｍｏｎ＿ｉｊ端子に入力された信号の示すアナログ量の出力電圧値をデジタル量に変換し、Ｖｏｕｔ＿ｉｊの出力電圧値としてメモリ２０４に記憶する。そして、制御部２２＿ｉは、Ｖｏｕｔ＿ｉｊ端子の出力電圧値が、その出力設定値より高い場合、Ｖｏｕｔ＿ｉｊ端子からの出力電圧値が低くなる方向に（例えば所定幅だけ）値を調整したｔｒｉｍ信号を、電源インタフェース部２１のｔｒｉｍ＿ｉｊ端子から出力すればよい。また、制御部２２は、Ｖｏｕｔ＿ｉｊの出力電圧値が、その出力設定値より低い場合、Ｖｏｕｔ＿ｉｊ端子からの出力電圧値が高くなる方向に（例えば所定幅だけ）値を調整したｔｒｉｍ信号を、電源インタフェース部２１のｔｒｉｍ＿ｉｊ端子から出力すればよい。
【００３６】
また、制御部２２は、給電制御装置３０に対して、制御対象の電源装置１０の監視情報を送信してもよい。監視情報とは、例えば、電源装置１０における各出力部１１について直近に得られた出力電圧値の情報や、出力電圧値の履歴等であってもよい。
【００３７】
例えば、制御部２２は、給電制御装置３０から監視情報の送信を要求する情報（監視情報要求情報）を受信すると、監視情報を給電制御装置３０に対して送信してもよい。あるいは、制御部２２は、あらかじめ定められた所定のタイミングで、監視情報を給電制御装置３０に対して送信してもよい。
【００３８】
次に、給電制御装置３０の構成について説明する。
【００３９】
図１において、給電制御装置３０は、給電制御部３１を有する。ここで、給電制御装置３０は、例えば図２に示すように、メモリ３０１と、プロセッサ３０２と、バスインタフェース３０３とによって構成可能である。この場合、給電制御部３１は、メモリ３０１に記憶されたコンピュータ・プログラムおよび各種データを読み込んで実行するプロセッサ３０２と、バスインタフェース３０３とによって構成される。なお、給電制御装置３０およびその各機能ブロックのハードウェア構成は、上述の構成に限定されない。
【００４０】
給電制御部３１は、ｎ個の電源制御装置２０に対して、それぞれの電源制御装置２０が制御対象とする電源装置１０を出力部１１単位で制御する制御情報を送信する。
【００４１】
ここで、給電制御部３１が上述のハードウェア要素によって構成される場合、給電制御部３１は、バスインタフェース３０３を介してバスに接続され、同様にバスに接続されるｎ個の電源制御装置２０との間で情報を送受信する。また、給電制御部３１のこのような機能は、電源制御装置２０から受信される情報、および、メモリ３０１に記憶されるコンピュータ・プログラムや各種データにしたがってプロセッサ３０２が動作することにより実現される。
【００４２】
例えば、給電制御部３１は、ｎ個の電源装置１０がそれぞれ有するＮｉ個の出力部１１について、起動シーケンスまたは停止シーケンスに基づくタイミング制御を行ってもよい。この場合、具体的には、給電制御部３１は、ｎ個の電源装置１０をそれぞれ制御対象とする各電源制御装置２０に起動要求情報または停止要求情報を送信することにより、各出力部１１の起動または停止のタイミングを制御する。
【００４３】
ここで、起動シーケンスまたは停止シーケンスとは、出力部１１単位で定められた電源供給開始または停止の順序を表す情報である。なお、起動シーケンスまたは停止シーケンスは、例えば、事前に定められ、メモリ３０１に記憶されている。また、起動シーケンスまたは停止シーケンスは、各出力部１１を起動または停止する間隔（起動間隔または停止間隔）を表す情報を含んでいてもよい。なお、起動間隔または停止間隔は、一定値でなくてもよい。つまり、例えば、起動シーケンスまたは停止シーケンスにおいてｘ番目の出力部１１からｘ＋１番目の出力部１１を起動または停止するまでに定められた間隔をｔｘとすると、ｔｘは、ｔｙと必ずしも同一でなくてもよい。ただし、ｘは１以上の整数であり、ｙは、ｘとは異なる１以上の整数である。
【００４４】
また、起動要求情報または停止要求情報は、起動または停止対象となる電源装置１０の出力部１１を識別する情報を含む。また、起動要求情報または停止要求情報は、その出力部１１を起動または停止するタイミングを表す情報を含んでいてもよい。そのようなタイミングを表す情報は、起動シーケンスまたは停止シーケンスに含まれる起動間隔または停止間隔に基づく待機時間であってもよい。なお、給電制御部３１は、起動シーケンスまたは停止シーケンスに基づくタイミング制御が不要な場合は、起動要求情報または停止要求情報に、タイミングを表す情報を含めなくてもよい。
【００４５】
また、給電制御部３１は、各電源装置１０における出力部１１に設定する出力設定値を示す出力値設定情報を、電源制御装置２０に送信してもよい。例えば、給電制御部３１は、給電制御装置３０自身に電源が投入された後、各電源装置１０の起動制御に続けて、各電源装置１０の出力部１１のそれぞれについて出力値設定情報を送信してもよい。
【００４６】
また、給電制御部３１は、電源装置１０おける各出力部１１の出力電圧値に関する監視情報を、電源制御装置２０から受信してもよい。例えば、給電制御部３１は、電源制御装置２０に監視情報要求情報を送信することにより、監視情報を受信してもよい。あるいは、給電制御部３１は、電源制御装置２０から所定のタイミングで送信される監視情報を受信してもよい。また、給電制御部３１は、受信した監視情報を、メモリ３０１に記憶し、さらに外部の出力装置または記憶装置（図示せず）等に出力してもよい。
【００４７】
以上のように構成された給電制御システム１の動作について、図面を参照して説明する。
【００４８】
まず、起動シーケンスが不要な場合に、給電制御システム１が各電源装置１０の起動を制御する動作を図３に示す。なお、以降の図面において、フローチャートを左図および右図に分けて示している場合、左図は給電制御装置３０の動作を示し、右図は電源制御装置２０の動作を示し、左右を結ぶ破線の矢印はデータの流れを表すものとする。
【００４９】
図３では、まず、給電制御装置３０の給電制御部３１は、各電源装置１０の各出力部１１についての起動要求情報を、各電源制御装置２０に対して送信する（ステップＳ１）。このとき、給電制御部３１は、この起動要求情報に、各出力部１１の識別情報を含め、タイミングを表す情報を含めなくてよい。
【００５０】
次に、自装置が接続される電源装置１０の各出力部１１について起動要求情報を受信した電源制御装置２０では、制御部２２は、電源装置１０における各出力部１１を起動するｏｎ／ｏｆｆ信号を、電源インタフェース部２１から出力する。具体的には、制御部２２は、各出力部１１を構成するＶｏｕｔ＿ｉｊ端子に対応するｏｎ／ｏｆｆ＿ｉｊ出力端子から、ｏｎ／ｏｆｆ信号を出力する（ステップＳ２）。
【００５１】
以上で、給電制御システム１は、起動シーケンスが不要な場合の起動制御動作を終了する。これにより、ｎ個の電源装置１０の各出力部１１から電源電圧の供給が開始される。
【００５２】
次に、起動シーケンスが必要な場合に、給電制御システム１が電源装置１０の起動を出力部１１単位で制御する動作を図４に示す。
【００５３】
図４では、まず、給電制御装置３０の給電制御部３１は、起動シーケンスにしたがって、起動対象となる出力部１１を識別する情報と、タイミングを表す情報とを含む起動要求情報を、電源制御装置２０に対して送信する（ステップＳ１１）。
【００５４】
ここで、今回の動作において最初にこのステップを実行する場合、今回の起動対象としては、起動シーケンスにおける最初の出力部１１が採用される。また、この場合、給電制御部３１は、タイミングを表す情報として待機時間０を表す情報を、起動要求情報に含めてもよい。また、２回目以降にこのステップを実行する場合、今回の起動対象としては、起動シーケンスにおいて前回の起動対象の次の出力部１１が採用される。また、この場合、給電制御部３１は、タイミングを表す情報として、次のように待機時間を算出してもよい。例えば、起動シーケンスにおいて、ｘ番目とｘ＋１番目の出力部１１の間に起動間隔ｔｘが定められているとする。また、今回の起動対象となる出力部１１がｙ（ｙは２以上の整数）番目であるとする。この場合、給電制御部３１は、待機時間として、ｔ１〜ｔｙ−１までの起動間隔の総和を算出し、起動要求情報に含めてもよい。
【００５５】
次に、給電制御部３１は、起動シーケンスにおいて、次に起動する出力部１１が定められていれば（ステップＳ１２でＹｅｓ）、その出力部１１を起動対象として制御をステップＳ１１に戻す。
【００５６】
一方、ステップＳ１２において、起動シーケンスにおいて次に起動する出力部１１が定められていなければ（今回の起動対象が最後であれば）、給電制御装置３０は動作を終了する。
【００５７】
また、ステップＳ１１で送信された起動要求情報を受信した電源制御装置２０は、起動要求情報に含まれる出力部１１を識別する情報が、自装置が制御対象とする電源装置１０が有する出力部１１を示している場合、次のように動作する。
【００５８】
まず、制御部２２は、起動要求情報に含まれるタイミングを表す情報に基づいて、待機時間だけ待機する（ステップＳ１３）。
【００５９】
次に、制御部２２は、起動要求情報の示す出力部１１を起動するｏｎ／ｏｆｆ信号を、電源インタフェース部２１から出力する。具体的には、制御部２２は、対象の出力部１１を構成するＶｏｕｔ＿ｉｊ端子に対応するｏｎ／ｏｆｆ＿ｉｊ出力端子から、ｏｎ／ｏｆｆ信号を出力すればよい（ステップＳ１４）。
【００６０】
以上で、給電制御システム１は、起動シーケンスが必要な場合の起動制御動作を終了する。これにより、ｎ個の電源装置１０における各出力部１１から、起動シーケンスにしたがったタイミングで電源電圧の供給が開始される。
【００６１】
次に、起動シーケンスが必要な場合の起動制御動作を具体例で示す。なお、この具体例の説明では、対象の出力部１１を起動することを、（その出力部１１を構成するＶｏｕｔ＿ｉｊ端子から出力される）Ｖｏｕｔ＿ｉｊを起動する、または、Ｖｏｕｔ＿ｉｊの供給を開始する、とも記載する。また、以下の具体例では、説明の簡略化のため、給電制御装置３０および電源制御装置２０が各ステップの実行に要する時間や、給電制御装置３０および電源制御装置２０間の通信に要する時間などを考慮しないものとする。
【００６２】
ここでは、図５に示すような起動シーケンスが定められているものとする。図５では、電源装置１０＿１のＶｏｕｔ＿１１、電源装置１０＿２のＶｏｕｔ＿２１、電源装置１０＿３のＶｏｕｔ＿３１の順に起動することが定められているものとする。また、各Ｖｏｕｔ＿１１、Ｖｏｕｔ＿２１、Ｖｏｕｔ＿３１の起動の間には、それぞれ遅延時間ｔ１、ｔ２が定められているものとする。
【００６３】
この場合、まず、給電制御装置３０の給電制御部３１は、Ｖｏｕｔ＿１１の識別情報と、待機時間０とを含む起動要求情報（以下、起動要求情報Ａという）を、電源制御装置２０に送信する（ステップＳ１１）。
【００６４】
次に、給電制御部３１は、起動シーケンスにおいて次の起動対象Ｖｏｕｔ＿２１が定められているので（ステップＳ１２でＹｅｓ）、Ｖｏｕｔ＿２１の識別情報と待機時間ｔ１とを含む起動要求情報（以下、起動要求情報Ｂという）を、電源制御装置２０に送信する（ステップＳ１１）。
【００６５】
次に、給電制御部３１は、起動シーケンスにおいて次の起動対象Ｖｏｕｔ＿３１が定められているので（ステップＳ１２でＹｅｓ）、Ｖｏｕｔ＿３１の識別情報と待機時間ｔ１＋ｔ２とを含む起動要求情報（以下、起動要求情報Ｃという）を、電源制御装置２０に送信する（ステップＳ１１）。
【００６６】
次に、給電制御部３１は、起動シーケンスにおいて次の起動対象が定められていないので（ステップＳ１２でＮｏ）、動作を終了する。
【００６７】
次に、起動要求情報Ａを受信した電源制御装置２０＿１では、制御部２２は、待機時間が０なのでステップＳ１３を省略し、電源装置１０＿１に対してＶｏｕｔ＿１１を起動するｏｎ／ｏｆｆ信号を、ｏｎ／ｏｆｆ＿１１出力端子から出力する（ステップＳ１４）。
【００６８】
これにより、電源装置１０＿１からのＶｏｕｔ＿１１の供給が開始される。
【００６９】
また、起動要求情報Ｂを受信した電源制御装置２０＿２では、制御部２２は、起動要求情報に含まれる待機時間ｔ１だけ待機する（ステップＳ１３）。
【００７０】
そして、電源制御装置２０＿２の制御部２２は、電源装置１０＿２に対してＶｏｕｔ＿２１を起動するｏｎ／ｏｆｆ信号を、ｏｎ／ｏｆｆ＿２１出力端子から出力する（ステップＳ１４）。
【００７１】
これにより、Ｖｏｕｔ＿１１の供給開始からｔ１時間後に、電源装置１０＿２からＶｏｕｔ＿２１の供給が開始される。
【００７２】
また、起動要求情報Ｃを受信した電源制御装置２０＿３では、制御部２２は、起動要求情報に含まれる待機時間ｔ１＋ｔ２だけ待機する（ステップ１３）。
【００７３】
そして、電源制御装置２０＿３の制御部２２は、電源装置１０＿３に対してＶｏｕｔ＿３１を起動するｏｎ／ｏｆｆ信号を、ｏｎ／ｏｆｆ＿３１出力端子から出力する（ステップＳ１４）。
【００７４】
これにより、Ｖｏｕｔ＿１１の供給開始からｔ１＋ｔ２時間後、すなわち、Ｖｏｕｔ＿２１の供給開始からｔ２時間後に、電源装置１０＿３からのＶｏｕｔ＿３１の供給が開始される。
【００７５】
以上で、起動シーケンスが必要な場合の起動制御動作の具体例の説明を終了する。
【００７６】
次に、給電制御システム１が電源装置１０からの出力電圧値を出力部１１単位で設定する動作を図６に示す。
【００７７】
図６では、まず、給電制御装置３０の給電制御部３１は、対象の出力部１１の出力電圧値を出力設定値に設定する出力値設定情報を、電源制御装置２０に対して送信する（ステップＳ２１）。
【００７８】
このとき、出力値設定情報には、出力部１１の識別情報と、出力設定値とが含まれる。
【００７９】
次に、ステップＳ２１で送信された出力値設定情報を受信した電源制御装置２０は、出力値設定情報に含まれる起動対象の出力部１１を識別する情報が、自装置が制御対象とする電源装置１０が有するものである場合、次のように動作する。
【００８０】
まず、制御部２２は、メモリ２０４に、その出力部１１の出力設定値として、出力値設定情報の示す値を記憶する（ステップＳ２２）。
【００８１】
次に、制御部２２は、その出力部１１の出力値をステップＳ２２で記憶した出力設定値に設定するｔｒｉｍ信号を、電源インタフェース部２１から出力する（ステップＳ２３）。
【００８２】
このとき、制御部２２は、メモリ２０４の対応関係情報を参照し、出力値設定情報の示す出力設定値に対応するｔｒｉｍ信号の値を取得する。そして、制御部２２は、対象の出力部１１を構成するＶｏｕｔ＿ｉｊ端子に対応するｔｒｉｍ＿ｉｊ端子から、取得した値のｔｒｉｍ信号を出力すればよい。
【００８３】
これにより、電源装置１０における対象の出力部１１からの出力電圧値は、出力設定値に設定される。
【００８４】
以上で、給電制御システム１は、出力値設定動作を終了する。なお、出力値設定動作は、図３または図４に示した起動制御動作に続けて行ってもよい。この場合、給電制御システム１は、各電源装置１０の各出力部１１についての出力値の設定を略同時に行ってもよい。あるいは、出力値設定動作は、出力電圧値を変更する対象となる出力部１１について個別に行ってもよい。
【００８５】
次に、給電制御システム１が電源装置１０の出力電圧値を調整する動作を図７に示す。なお、以下の動作は、あらかじめ定められたタイミングで、例えば、所定間隔で実行される。
【００８６】
図７では、まず、電源制御装置２０の制御部２２は、制御対象の電源装置１０の各出力部１１から電源インタフェース部２１に入力される信号が示す出力電圧値を取得する。具体的には、制御部２２は、各Ｖｍｏｎ＿ｉｊ端子に入力される信号が示す出力電圧値を取得する（ステップＳ３１）。
【００８７】
次に、制御部２２は、ステップＳ３１で取得した各出力部１１の出力電圧値をメモリ２０４に記憶する（ステップＳ３２）。
【００８８】
次に、制御部２２は、ステップＳ３１で取得した各出力部１１の出力電圧値と、メモリ２０４に記憶している各出力部１１の出力設定値とを比較する（ステップＳ３３）。
【００８９】
次に、制御部２２は、ステップＳ３２の比較結果に応じて、出力電圧値と出力設定値との差分に基づき調整した各出力部１１に対するｔｒｉｍ信号を、電源インタフェース部２１から出力する（ステップＳ３４）。
【００９０】
具体的には、制御部２２は、出力電圧値が出力設定値より高い出力部１１については、該当する出力部１１を構成するＶｏｕｔ＿ｉｊ端子に対応するｔｒｉｍ＿ｉｊ端子から、出力電圧値が低くなる方向に（例えば所定幅だけ）値を調整したｔｒｉｍ信号を出力する。また、制御部２２は、出力電圧値が出力設定値より低い出力部１１については、該当する出力部１１を構成するＶｏｕｔ＿ｉｊ端子に対応するｔｒｉｍ＿ｉｊ端子から、出力電圧値が高くなる方向に（例えば所定幅だけ）値を調整したｔｒｉｍ信号を出力する。
【００９１】
以上で、給電制御システム１は、出力値調整動作を終了する。
【００９２】
次に、給電制御システム１が電源装置１０の出力電圧値を監視する動作を図８に示す。
【００９３】
図８では、まず、給電制御装置３０の給電制御部３１は、監視情報の送信を要求する情報（監視情報要求情報）を、電源制御装置２０に送信する（ステップＳ４１）。
【００９４】
次に、監視情報要求情報を受信した各電源制御装置２０では、制御部２２は、メモリ２０４に記憶している各出力部１１の出力電圧値を表す情報を、監視情報として、給電制御装置３０に送信する（ステップＳ４２）。
【００９５】
次に、監視情報を受信した給電制御装置３０の給電制御部３１は、受信した監視情報をメモリ３０１に記憶し、図示しない出力装置や記憶装置等に出力する（ステップＳ４３）。
【００９６】
以上で、給電制御システム１は、出力電圧値監視動作を終了する。
【００９７】
次に、停止シーケンスが不要な場合に、給電制御システム１が各電源装置１０の停止を制御する動作を図９に示す。
【００９８】
図９では、まず、給電制御装置３０の給電制御部３１は、各電源装置１０の各出力部１１についての停止要求情報を、各電源制御装置２０に対して送信する（ステップＳ５１）。このとき、給電制御部３１は、停止要求情報に、各出力部１１の識別情報を含め、タイミングを表す情報を含めなくてよい。
【００９９】
次に、自装置が接続される電源装置１０の各出力部１１について停止要求情報を受信した電源制御装置２０では、制御部２２は、電源装置１０における各出力部１１を停止するｏｎ／ｏｆｆ信号を、電源インタフェース部２１から出力する。具体的には、制御部２２は、各出力部１１を構成するＶｏｕｔ＿ｉｊ端子に対応するｏｎ／ｏｆｆ＿ｉｊ出力端子から、ｏｎ／ｏｆｆ信号を出力する（ステップＳ５２）。
【０１００】
以上で、給電制御システム１は、停止シーケンスが不要な場合の停止制御動作を終了する。これにより、ｎ個の電源装置１０の各出力部１１から電源電圧の供給が停止される。
【０１０１】
次に、停止シーケンスが必要な場合に、給電制御システム１が電源装置１０の停止を出力部１１単位で制御する動作を図１０に示す。
【０１０２】
図１０では、まず、給電制御装置３０の給電制御部３１は、停止シーケンスにしたがって、停止対象となる出力部１１を識別する情報と、タイミングを表す情報とを含む停止要求情報を、電源制御装置２０に対して送信する（ステップＳ６１）。
【０１０３】
ここで、今回の動作において最初にこのステップを実行する場合、今回の停止対象としては、停止シーケンスにおける最初の出力部１１が採用される。また、この場合、給電制御部３１は、タイミングを表す情報として待機時間０を表す情報を、停止要求情報に含めてもよい。また、２回目以降にこのステップを実行する場合、今回の停止対象としては、停止シーケンスにおいて前回の停止対象の次の出力部１１が採用される。また、この場合、給電制御部３１は、タイミングを表す情報として、次のように待機時間を算出してもよい。例えば、停止シーケンスにおいて、ｘ番目とｘ＋１番目の出力部１１の間に停止間隔ｔｘが定められているとする。また、今回の停止対象となる出力部１１がｙ（ｙは２以上の整数）番目であるとする。この場合、給電制御部３１は、待機時間として、ｔ１〜ｔｙ−１までの停止間隔の総和を算出し、停止要求情報に含めてもよい。
【０１０４】
次に、給電制御部３１は、停止シーケンスにおいて、次に停止する出力部１１が定められていれば（ステップＳ６２でＹｅｓ）、その出力部１１を停止対象として制御をステップＳ１１に戻す。
【０１０５】
一方、ステップＳ６２において、停止シーケンスにおいて次に停止する出力部Ｖｏｕｔ＿ｉｊが定められていなければ（今回の停止対象が最後であれば）、給電制御装置３０は動作を終了する。
【０１０６】
また、ステップＳ６１で送信された停止要求情報を受信した電源制御装置２０は、停止要求情報に含まれる停止対象の出力部１１を識別する情報が、自装置が制御対象とする電源装置１０が有する出力部１１を示している場合、次のように動作する。
【０１０７】
まず、制御部２２は、停止要求情報に含まれるタイミングを表す情報に基づいて、待機時間だけ待機する（ステップＳ６３）。
【０１０８】
次に、制御部２２は、停止要求情報の示す出力部１１を停止するｏｎ／ｏｆｆ信号を、電源インタフェース部２１から出力する。具体的には、制御部２２は、対象の出力部１１を構成するＶｏｕｔ＿ｉｊ端子に対応するｏｎ／ｏｆｆ＿ｉｊ出力端子から、ｏｎ／ｏｆｆ信号を出力すればよい（ステップＳ６４）。
【０１０９】
以上で、給電制御システム１は、停止シーケンスが必要な場合の停止制御動作を終了する。これにより、ｎ個の電源装置１０における各出力部１１から供給される電源電圧は、停止シーケンスにしたがったタイミングで停止される。
【０１１０】
次に、停止シーケンスが必要な場合の停止制御動作を具体例で示す。なお、この具体例の説明では、対象の出力部１１を停止することを、（その出力部１１を構成するＶｏｕｔ＿ｉｊ端子から出力される）Ｖｏｕｔ＿ｉｊを停止する、または、Ｖｏｕｔ＿ｉｊの供給を停止する、と記載する。また、以下の具体例では、説明の簡略化のため、給電制御装置３０および電源制御装置２０が各ステップの実行に要する時間や、給電制御装置３０および電源制御装置２０間の通信に要する時間などを考慮しないものとする。
【０１１１】
ここでは、図１１に示すような停止シーケンスが定められているものとする。図１１では、電源装置１０＿１のＶｏｕｔ＿１１、電源装置１０＿２のＶｏｕｔ＿２１、電源装置１０＿３のＶｏｕｔ＿３１の順に停止することが定められているものとする。また、各Ｖｏｕｔ＿１１、Ｖｏｕｔ＿２１、Ｖｏｕｔ＿３１の停止の間には、それぞれ遅延時間ｔ３、ｔ４が定められているものとする。
【０１１２】
この場合、まず、給電制御装置３０の給電制御部３１は、Ｖｏｕｔ＿１１の識別情報と、待機時間０とを含む停止要求情報（以下、停止要求情報Ｄという）を、電源制御装置２０に送信する（ステップＳ６１）。
【０１１３】
次に、給電制御部３１は、停止シーケンスにおいて次の停止対象Ｖｏｕｔ＿２１が定められているので（ステップＳ６２でＹｅｓ）、Ｖｏｕｔ＿２１の識別情報と待機時間ｔ３とを含む停止要求情報（以下、停止要求情報Ｅという）を、電源制御装置２０に送信する（ステップＳ６１）。
【０１１４】
次に、給電制御部３１は、停止シーケンスにおいて次の停止対象Ｖｏｕｔ＿３１が定められているので（ステップＳ６２でＹｅｓ）、Ｖｏｕｔ＿３１の識別情報と待機時間ｔ３＋ｔ４とを含む停止要求情報（以下、停止要求情報Ｆという）を、電源制御装置２０に送信する（ステップＳ６１）。
【０１１５】
次に、給電制御部３１は、停止シーケンスにおいて次の停止対象が定められていないので（ステップＳ６２でＮｏ）、動作を終了する。
【０１１６】
次に、停止要求情報Ｄを受信した電源制御装置２０＿１では、制御部２２は、待機時間が０なのでステップＳ６３を省略し、電源装置１０＿１に対してＶｏｕｔ＿１１を停止するｏｎ／ｏｆｆ信号を、ｏｎ／ｏｆｆ＿１１出力端子から出力する（ステップＳ６４）。
【０１１７】
これにより、電源装置１０＿１からのＶｏｕｔ＿１１の供給が停止される。
【０１１８】
また、停止要求情報Ｅを受信した電源制御装置２０＿２では、制御部２２は、停止要求情報に含まれる待機時間ｔ３だけ待機する（ステップＳ６３）。
【０１１９】
そして、電源制御装置２０＿２の制御部２２は、電源装置１０＿２に対してＶｏｕｔ＿２１を停止するｏｎ／ｏｆｆ信号を、ｏｎ／ｏｆｆ＿２１出力端子から出力する（ステップＳ６４）。
【０１２０】
これにより、Ｖｏｕｔ＿１１の供給停止からｔ３時間後に、電源装置１０＿２からＶｏｕｔ＿２１の供給が停止される。
【０１２１】
また、停止要求情報Ｆを受信した電源制御装置２０＿３では、制御部２２は、停止要求情報に含まれる待機時間ｔ３＋ｔ４だけ待機する（ステップ６３）。
【０１２２】
そして、電源制御装置２０＿３の制御部２２は、電源装置１０＿３に対してＶｏｕｔ＿３１を停止するｏｎ／ｏｆｆ信号を、ｏｎ／ｏｆｆ＿３１出力端子から出力する（ステップＳ６４）。
【０１２３】
これにより、Ｖｏｕｔ＿１１の供給が停止されてからｔ３＋ｔ４時間後、すなわち、Ｖｏｕｔ＿２１の供給停止からｔ４時間後に、電源装置１０＿３からのＶｏｕｔ＿３１の供給が停止される。
【０１２４】
以上で、停止シーケンスが必要な場合の停止制御動作の具体例の説明を終了する。
【０１２５】
次に、本発明の実施の形態の効果について述べる。
【０１２６】
本発明の実施の形態としての給電制御システムは、デジタルインタフェースを備えない多出力の電源装置に対して、回路規模を抑えながらデジタル制御を行うことができる。
【０１２７】
その理由は、制御対象の電源装置の各出力部に対応するアナログ信号を入出力する電源インタフェース部と、制御部とを有する電源制御装置を、１つ以上の電源装置のそれぞれに対応させて設けるからである。そして、各電源制御装置と通信可能に接続された給電制御装置が、電源装置を出力部単位で制御する制御情報を電源制御装置に送信し、電源制御装置の制御部は、制御情報に基づき対象の出力部を制御するアナログ制御信号を、電源インタフェース部を介して電源装置に出力するからである。
【０１２８】
また、本実施の形態としての給電制御システムは、デジタルインタフェースを備えない多出力の電源装置に対して、回路規模を抑えながら、出力部単位で起動順序または停止順序およびそのタイミングを制御することができる。
【０１２９】
その理由は、給電制御装置が、起動シーケンスまたは停止シーケンスにしたがった順序およびタイミングで、各出力部の起動または停止を要求する起動要求情報または停止要求情報を、その出力部を有する電源装置を制御対象とする電源制御装置に送信するからである。そして、電源制御装置の制御部が、受信した起動要求情報または停止要求情報にしたがって、対象の出力部を起動または停止するｏｎ／ｏｆｆ信号を、電源インタフェース部から出力するからである。
【０１３０】
また、本実施の形態としての給電制御システムは、デジタルインタフェースを備えない多出力の電源装置に対して、回路規模を抑えながら、出力部単位で出力値の設定および調整を行うことができる。
【０１３１】
その理由は、給電制御装置が、対象の出力部の出力設定値を示す出力値設定情報を、その出力部を有する電源装置を制御対象とする電源制御装置に送信するからである。そして、電源制御装置の制御部が、受信した出力値設定情報の示す出力設定値に対応付けられたアナログ制御信号の情報を、メモリに記憶した対応関係情報を参照することにより取得し、取得した情報に基づくアナログ制御信号を、電源インタフェース部から出力するからである。さらに、制御部が、電源インタフェース部に入力される制御対象の電源装置の各出力部の出力値と、出力設定値との差分に基づいて、各出力部の出力値を調整するアナログ制御信号を、電源インタフェース部から出力するからである。
【０１３２】
また、本実施の形態としての給電制御システムは、デジタルインタフェースを備えない多出力の電源装置について、出力部単位で出力値の監視を行うことができる。
【０１３３】
その理由は、電源制御装置の制御部が、電源インタフェース部に入力される制御対象の電源装置の各出力部の出力値を記憶しておき、所定のタイミングまたは給電制御装置からの要求に応じて、各出力部の出力値に関する監視情報を給電制御装置に送信するからである。
【０１３４】
このように、本実施の形態としての給電制御システムは、デジタルインタフェースを備えない多出力の電源装置に対する起動順序および停止順序の制御、出力値の設定、調整、および、監視等のデジタル制御を、電源装置の数だけの電源制御装置を設けることにより、実現している。これにより、本実施の形態は、デジタル制御対象が多出力の電源装置であっても、その出力数だけの電源制御装置を設ける必要がなく、回路規模を抑制することができる。
【０１３５】
なお、本実施の形態において、電源装置の各出力部からの出力値として電圧値を適用する例を中心に説明したが、電流値などその他の出力値を適用してもよい。
【０１３６】
また、本実施の形態において、起動シーケンスまたは停止シーケンスにおいて、起動（停止）対象となる出力部のそれぞれの間に任意の間隔を設定可能な例について説明した。この他、本実施の形態において、起動シーケンスまたは停止シーケンスにおいて、出力部の起動（停止）間隔は、所定の長さにあらかじめ定められていてもよい。
【０１３７】
次に、本発明の実施の形態を改良した他の態様について図面を参照して説明する。本発明の実施の形態の他の態様としての給電制御システム２の構成を図１２に示す。
【０１３８】
図１２において、給電制御システム２は、上述した給電制御システム１と同一の構成に加えて、Ａ／Ｄ（analog to digital）変換器４０およびＤ／Ａ（digital to analog）変換器５０を備えている。Ａ／Ｄ変換器４０は、アナログ信号をデジタル信号に変換する。Ｄ／Ａ変換器５０は、デジタル信号をアナログ信号に変換する。
【０１３９】
ここで、Ａ／Ｄ変換器４０およびＤ／Ａ変換器５０は、電源装置１０の各出力部１１の出力信号を電源制御装置２０の電源インタフェース部２１に入力する接続線上に、各出力部１１に近い方からこの順に挿入される。このとき、Ａ／Ｄ変換器４０は、接続線上において出力部１１に物理的に近い位置（例えば、Ｖｏｕｔ＿ｉｊ端子から所定距離以内）に挿入されることが望ましい。また、Ｄ／Ａ変換器５０は、接続線上において電源インタフェース部２１に物理的に近い位置（例えば、Ｖｍｏｎ＿ｉｊ端子から所定距離以内）に挿入されることが望ましい。
【０１４０】
この場合、電源制御装置２０の電源インタフェース部２１には、出力部１１からの出力信号が一旦デジタル信号に変換され、再度、アナログ信号に変換されたものが入力される。
【０１４１】
以上のように構成された給電制御システム２の動作は、図３〜４、６〜１０を参照して説明した給電制御システム１の動作と略同様である。ただし、給電制御システム２の動作において、図７に示した出力値調整動作のステップＳ３１では、制御部２２は、各出力部１１の出力値として、一旦デジタル信号に変換された後アナログ信号に変換された信号から得られるアナログ量の出力値を取得することになる。
【０１４２】
これにより、本実施の形態の他の態様としての給電制御システムは、デジタルインタフェースを備えない多出力の電源装置に対して、回路規模を抑えながら出力値の調整および監視を行う際に、電源装置の出力部と電源制御装置とが物理的に離れている場合であっても、より精度よく出力値の調整および監視を行うことができる。
【０１４３】
その理由は、電源装置の出力部と電源制御装置の電源インタフェース部との接続線上に、電源装置の出力部に近いほうから順に、Ａ／Ｄ変換器およびＤ／Ａ変換器を挿入したからである。これにより、電源装置の出力部と電源制御装置とが物理的に離れている場合であっても、出力部からの信号が電源制御装置に入力されるまでの間に加わる外来ノイズの影響を抑えることができ、電源制御装置は、より精度の高い出力値の情報を得ることになる。したがって、本実施の形態は、そのような精度のより高い出力値を用いることにより、調整および監視の精度を向上させることができる。
【０１４４】
また、上述した本発明の各実施の形態において、電源制御装置および給電制御装置の一部の機能ブロックが、メモリに記憶されたコンピュータ・プログラムを実行するプロセッサによって実現される例を中心に説明したが、各機能ブロックの一部、全部、または、それらの組み合わせが専用のハードウェアにより実現されていてもよい。
【０１４５】
また、上述した本発明の各実施の形態において、各フローチャートを参照して説明した電源制御装置および給電制御装置の動作を、本発明のコンピュータ・プログラムとしてコンピュータ装置の記憶装置（記憶媒体）に格納しておき、係るコンピュータ・プログラムを当該ＣＰＵが読み出して実行するようにしてもよい。そして、このような場合において、本発明は、係るコンピュータ・プログラムのコードあるいは記憶媒体によって構成される。
【０１４６】
また、本発明は、上述した実施の形態に限定されず、様々な態様で実施されることが可能である。
【０１４７】
また、上述した実施の形態の一部又は全部は、以下の付記のようにも記載されうるが、以下には限られない。
（付記１）
制御対象の電源装置との間で、前記電源装置において電源を供給する１つ以上の出力部のそれぞれに関連するアナログ信号を入出力する電源インタフェース部と、
給電制御装置から、前記電源装置を前記出力部単位で制御する制御情報を受信すると、前記制御情報に基づいて、前記電源インタフェース部を介して前記電源装置を前記出力部単位で制御する制御部と、
を備えた電源制御装置。
（付記２）
前記制御部は、前記給電制御装置から、前記電源装置における対象の出力部を指定のタイミングで起動または停止させる制御情報を受信すると、前記対象の出力部を起動または停止させるアナログ制御信号を、前記制御情報に基づくタイミングで前記電源インタフェース部から出力することを特徴とする付記１に記載の電源制御装置。
（付記３）
前記制御部は、前記給電制御装置から、前記電源装置における対象の出力部に設定する出力設定値を示す制御情報を受信すると、前記対象の出力部の出力値を前記出力設定値に調整するアナログ制御信号を、前記電源インタフェース部から出力することを特徴とする付記１または付記２に記載の電源制御装置。
（付記４）
前記電源インタフェース部には、前記電源装置の前記出力部からの出力信号が入力され、
前記制御部は、前記電源インタフェース部に入力される前記出力信号の示す出力値と、該出力部に設定された前記出力設定値との差分に基づいて、該出力部の出力値を調整するアナログ制御信号を、前記電源インタフェース部から出力することを特徴とする付記３に記載の電源制御装置。
（付記５）
前記制御部は、前記出力設定値と、前記電源装置における前記出力部の出力値を該出力設定値に調整するためのアナログ制御信号に関する情報との対応関係を表す対応関係情報に基づいて、前記出力部の出力値を前記出力設定値に調整するアナログ制御信号を、前記電源インタフェース部から出力することを特徴とする付記３または付記４に記載の電源制御装置。
（付記６）
前記制御部は、前記給電制御装置に対して、前記電源装置おける前記出力部の出力値に関する監視情報を送信することを特徴とする付記１から付記５のいずれか１つに記載の電源制御装置。
（付記７）
付記１から付記６のいずれか１つに記載の電源制御装置に対して、前記電源装置を前記出力部単位で制御する制御情報を送信する給電制御装置。
（付記８）
１つ以上の前記電源装置がそれぞれ有する１つ以上の前記出力部について出力部単位で定められた起動シーケンスまたは停止シーケンスにしたがって、前記各出力部を指定のタイミングで起動または停止する制御情報を、前記各電源装置をそれぞれ制御する前記電源制御装置に送信することを特徴とする付記７に記載の給電制御装置。
（付記９）
前記電源装置における前記出力部に設定する出力設定値を示す制御情報を、前記電源制御装置に送信することを特徴とする付記７または付記８に記載の給電制御装置。
（付記１０）
前記電源装置おける前記出力部の出力値に関する監視情報を、前記電源制御装置から受信することを特徴とする付記７から付記９のいずれか１つに記載の給電制御装置。
（付記１１）
電源を供給する１つ以上の出力部、および、前記出力部のそれぞれに対するアナログ制御信号が入力されるアナログインタフェース部を有する１つ以上の電源装置と、
前記各電源装置に対応して設けられる付記１から付記６のいずれか１つに記載の電源制御装置と、
付記７から付記１０のいずれか１つに記載の給電制御装置と、
を備えた給電制御システム。
（付記１２）
前記電源装置の前記出力部からの出力信号を前記電源制御装置の電源インタフェース部に入力する接続線上に、前記出力部に近い方から順に挿入されたアナログデジタル変換器と、デジタルアナログ変換器とをさらに備えることを特徴とする付記１１に記載の給電制御システム。
（付記１３）
給電制御装置は、電源装置が有する１つ以上の出力部を出力部単位で制御する制御情報を、該電源装置を制御対象とする電源制御装置に送信し、
前記電源制御装置は、受信した前記制御情報に基づいて、対象の前記出力部に関連するアナログ信号を前記電源装置との間で入出力することにより、前記電源装置を前記出力部単位で制御する、給電制御方法。
（付記１４）
給電制御装置から、電源装置が有する１つ以上の出力部を出力部単位で制御する制御情報を受信すると、該制御情報に基づいて、対象の前記出力部に関連するアナログ信号を前記電源装置との間で入出力することにより、前記電源装置を前記出力部単位で制御する、給電制御方法。
（付記１５）
電源装置が有する１つ以上の出力部を出力部単位で制御する制御情報を、前記電源装置を制御対象とする電源制御装置に対して送信する制御情報送信ステップを、コンピュータ装置に実行させるコンピュータ・プログラム。
（付記１６）
付記１５に記載のコンピュータ・プログラムを実行する給電制御装置から、前記制御情報を受信する制御情報受信ステップと、
前記制御情報に基づいて、対象の前記出力部に関連するアナログ信号を前記電源装置との間で入出力することにより、前記電源装置を前記出力部単位で制御する制御ステップと、
をコンピュータ装置に実行させるコンピュータ・プログラム。
【符号の説明】
【０１４８】
１、２    給電制御システム
１０    電源装置
１１    出力部
１２    アナログインタフェース部
２０    電源制御装置
２１    電源インタフェース部
２２    制御部
３０    給電制御装置
３１    給電制御部
４０    Ａ／Ｄ変換器
５０    Ｄ／Ａ変換器
２０１、２０２    Ｄ／Ａ変換器
２０３    Ａ／Ｄ変換器
２０４    メモリ
２０５    プロセッサ
２０６    バスインタフェース
３０１    メモリ
３０２    プロセッサ
３０３    バスインタフェース
【図１】
2015225488.tif 000003
【図２】
2015225488.tif 000004
【図３】
2015225488.tif 000005
【図４】
2015225488.tif 000006
【図５】
2015225488.tif 000007
【図６】
2015225488.tif 000008
【図７】
2015225488.tif 000009
【図８】
2015225488.tif 000010
【図９】
2015225488.tif 000011
【図１０】
2015225488.tif 000012
【図１１】
2015225488.tif 000013
【図１２】
2015225488.tif 000014